(57)【要約】【課題】記録媒体のニアエンド状態の警告表示ができ、ニアエンド発生時の印刷停止の有無を適切に設定できるプリンターを提案すること。【解決手段】ロール紙プリンター１は、エラーＬＥＤ１７と、ロール紙１２がニアエンド状態になった場合に印刷動作を強制停止させるか否かを設定可能な設定部５と、ニアエンド状態が検出されるとエラーＬＥＤ１７を点滅駆動し、設定部５の設定内容に基づき印刷動作を強制停止させるか否かを制御する主制御部３とを有している。ニアエンド状態になるとエラーＬＥＤ１７の点滅が開始するので、ユーザーはロール紙１２が近いうちに無くなることを事前に知ることができ、設定部５の設定内容に応じて印刷動作を強制停止するか否かが制御される。よって、事前にユーザーのプリンター使用形態に適するように設定部５を設定することで、ユーザーにとって使い勝手のよいプリンターを提供できる。【選択図】図１
2012086427.tif 000002
【特許請求の範囲】
【請求項１】
第１発光素子と、
記録媒体が予め定めた残量以下のニアエンド状態になると、前記第１発光素子を予め定めた第１形態で点灯駆動する発光制御部と、
前記ニアエンド状態になった場合に印刷動作の強制停止の有効、無効を設定可能な設定部と、
前記ニアエンド状態になった場合に、前記設定部の設定内容に基づき前記印刷動作を強制停止させるか否かを制御する印刷制御部とを有していることを特徴とする記録媒体のニアエンド表示機能を備えたプリンター。
【請求項２】
請求項１において、
前記発光制御部は、前記設定部に前記無効が設定されている場合には、前記ニアエンド状態になっても前記第１発光素子の点灯駆動を行わないことを特徴とする記録媒体のニアエンド表示機能を備えたプリンター。
【請求項３】
請求項１または２において、
前記設定部の設定内容は、プリンターに接続された外部装置から供給されるコマンドによって設定可能であることを特徴とする記録媒体のニアエンド表示機能を備えたプリンター。
【請求項４】
請求項１または２において、
前記プリンターは、外部装置と接続可能であり、
前記印刷制御部が、前記ニアエンド状態で前記印刷動作を強制停止する場合は、前記外部装置から送信され印刷動作中の一連の印刷ジョブにおいて、当該一連の印刷ジョブの終了を示すコマンドまたはデータを受信し処理した後で行うことを特徴とする記録媒体のニアエンド表示機能を備えたプリンター。
【請求項５】
請求項１ないし４のうちのいずれかの項において、
前記発光制御部は、前記記録媒体の残量が零のリアルエンド状態になると、前記第１発光素子を予め定めた第２形態で点灯駆動することを特徴とする記録媒体のニアエンド表示機能を備えたプリンター。
【請求項６】
請求項５において、
前記第１形態および前記第２形態のうち、一方の形態は点滅駆動であり、他方の形態は連続点灯であることを特徴とする記録媒体のニアエンド表示機能を備えたプリンター。
【請求項７】
請求項１ないし４のうちのいずれかの項において、
第２発光素子を有しており、
前記発光制御部は、前記記録媒体の残量が零のリアルエンド状態になると、前記第２発光素子を所定の形態で点灯駆動することを特徴とする記録媒体のニアエンド表示機能を備えたプリンター。
【請求項８】
請求項１ないし７のうちのいずれかの項において、
前記第１発光素子は、前記発光制御部の制御の下に、前記ニアエンド以外の予め定めたプリンターエラー状態を表示するエラー表示用発光素子であることを特徴とする記録媒体のニアエンド表示機能を備えたプリンター。
【発明の詳細な説明】
【技術分野】
【０００１】
本発明はロール紙などの記録媒体が残り少なくなったニアエンド状態を表示するニアエンド表示機能を備えたプリンターに関する。
【背景技術】
【０００２】
従来において、記録媒体収納部に収納されている記録媒体が予め定めた残量以下になったニアエンド状態、および記録媒体が無くなった（残量が零になった）リアルエンド状態の双方を検出可能な検出機構を備えたプリンターが知られている。特許文献１には、ニアエンド状態を検出するニアエンド検出ユニットを備えたロール紙プリンターが開示されている。
【０００３】
このようなプリンターでは、リアルエンド状態になると印刷動作が不能になるので、専用のリアルエンド表示用のＬＥＤを点灯させてリアルエンドである旨をユーザーに警告表示してプリンターを強制的に停止状態（印刷不能状態）に切り替えている。記録媒体が補充されると、プリンターは再び動作可能状態に復帰する。これに対して、ニアエンド状態になった場合には、記録媒体が残っており印刷が可能である。このために、プリンターの機種によっては、ニアエンド検出機能は備わっているが、ニアエンド状態を上位のコンピューターに通知するのみで、ニアエンド状態をプリンター上において警告表示する表示機能が備わっていないものがあり、ユーザーにとっては分かりにくく不便である。
【０００４】
ここで、特許文献２には、ＬＥＤの点滅の周期を変えて複数の動作状態を表示できるようにした画像形成装置が提案されている。
【先行技術文献】
【特許文献】
【０００５】
【特許文献１】特開２００１−２１３５５３号公報
【特許文献２】特開２００８−２８４６９４号公報
【発明の概要】
【発明が解決しようとする課題】
【０００６】
ニアエンド状態の警告表示機能の無いプリンターにおいて、既設のＬＥＤの点灯駆動形態を変えることにより、ニアエンド状態を警告表示することが考えられる。このようにすれば、ＬＥＤを増設することなく、ユーザーが事前にリアルエンドが近いことを知ることができ、突然、リアルエンドになってプリンターが停止してしまう事態を回避でき、ユーザーにとって使い勝手が良くなるので望ましい。
【０００７】
しかし、記録媒体のニアエンド状態をＬＥＤによって警告表示する場合、リアルエンド状態の場合と同様にプリンターが強制停止してしまうと、残量があるニアエンド状態で記録媒体を補給する必要があり、記録媒体の補給頻度が多くなり、ユーザーにとっては不便である。また、ロール紙の場合には、ニアエンド状態で交換されてしまうと、印刷に使用されずに無駄になる量が多くなり経済的でない。これに対して、ニアエンド状態でプリンターが強制停止しない場合には、例えば、連続して多量の印刷を行う場合等において印刷の途中でリアルエンド状態（記録媒体切れ）に陥って印刷不能になり、事前にニアエンド状態を警告表示する意味が無くなってしまうことがある。
【０００８】
本発明の課題は、このような点に鑑みて、記録媒体のニアエンド状態を発光素子によって警告表示でき、ニアエンド発生時の印刷停止の有無を適切に設定することのできるプリンターを提案することにある。
【課題を解決するための手段】
【０００９】
上記の課題を解決するために、本発明のプリンターは、
第１発光素子と、
記録媒体が予め定めた残量以下のニアエンド状態になると、前記第１発光素子を予め定めた第１形態で点灯駆動する発光制御部と、
前記ニアエンド状態になった場合に記録媒体への印刷動作を強制停止させるか否かを設定可能な設定部と、
前記ニアエンド状態になった場合に、前記設定部の設定内容に基づき前記印刷動作を強制停止させるか否かを制御する印刷制御部とを有していることを特徴としている。
【００１０】
本発明のプリンターでは、記録媒体がニアエンド状態になると第１発光素子が第１形態で点灯駆動され、ユーザーは当該第１発光素子の点灯あるいは点滅によって、記録媒体が近いうちに無くなることを事前に知ることができる。また、ニアエンド状態になった場合には、設定部の設定内容に応じて印刷動作を強制停止するか否かが制御されるので、事前にユーザーのプリンター使用形態に適するように設定部を設定しておくことができる。
【００１１】
ここで、ニアエンド状態の警告表示を必要としないユーザーに対応できるようにするために、前記発光制御部は、前記設定部に前記印刷動作を強制停止させる旨の設定がされていない場合には、前記ニアエンド状態になっても前記第１発光素子の点灯駆動を行わないようにすればよい。
【００１２】
また、ニアエンド状態において印刷動作を強制停止するか否かの設定、変更を容易に行うことができるようにするためには、前記設定部の設定を、プリンターに接続された外部装置から供給されるコマンドによって行うようにすることが望ましい。
【００１３】
ここで、前記プリンターは、外部装置と接続可能であり、
前記印刷制御部が、前記ニアエンド状態で前記印刷動作を強制停止する場合は、前記外部装置から送信され印刷動作中の一連の印刷ジョブにおいて、当該一連の印刷ジョブの終了を示すコマンド（印刷コマンド）またはデータ（印刷データ）を受信し処理した後で行うことが望ましい。
【００１４】
ニアエンド状態になっても、記録媒体の残量があるので直ちに停止せず、レシートなど所定の帳票の１枚分の印刷（一連の印刷ジョブ）の最後まで印刷することができる。一連の印刷ジョブの印刷が終了して区切りの良いところで停止すると、印刷途中となったものを再印刷する必要がない。
【００１５】
一連の印刷ジョブの終了は、コマンドやデータで検知できる。一連の印刷ジョブの中で、フォームフィード（ＦＦ）のコマンドを検出したり、プリンターが切断装置を備えていれば、切断コマンドの検出により、一連の印刷ジョブの最後であると検知できる。また、レシートの場合、合計やｔｏｔａｌという印刷ジョブの最後を示すデータを受信すれば、一連の印刷ジョブの最後であると判断することができる。これらのコマンドやデータを処理した後で停止すればよい。
【００１６】
さらに、第１発光素子を用いて記録媒体のリアルエンド状態の警告表示を行う場合には、前記発光制御部は、前記記録媒体の残量が零のリアルエンド状態になると、前記第１発光素子を予め定めた第２形態で点灯駆動して、ニアエンド状態の警告表示と区別できるようにすればよい。
【００１７】
ここで、ニアエンド状態およびリアルエンド状態を、発光素子を点滅駆動および連続点灯駆動に切り替えることにより区別することができる。すなわち、前記第１形態および前記第２形態のうち、一方の形態を点滅駆動とし、他方の形態を連続点灯として、双方の状態を区別することができる。
【００１８】
次に、ニアエンド状態とリアルエンド状態を別個の発光素子によって警告表示することもできる。すなわち、ニアエンド状態を警告表示するための第１発光素子に加えて、第２発光素子を配置し、前記発光制御部は、前記記録媒体の残量が零のリアルエンド状態になると、前記第２発光素子を所定の形態で点灯駆動すればよい。
【００１９】
また、一般にプリンターには、プリンターが動作不能状態（エラー状態）に陥ったことを警告表示するためのエラー表示用の発光素子が備わっている。したがって、ニアエンド状態を当該エラー表示用の発光素子を用いて行えば、ニアエンド状態を表示するための専用の発光素子を配置する必要がない。また、エラー表示用の発光素子を用いて、ニアエンド状態およびリアルエンド状態の双方を警告表示する場合には、リアルエンド状態を警告表示するための発光素子も不要となるので、プリンターの小型化、低コスト化に有利である。
【発明の効果】
【００２０】
本発明のプリンターでは、記録媒体がニアエンド状態になると第１発光素子が第１形態で点灯駆動されるので、ユーザーは当該第１発光素子の点灯あるいは点滅によって、記録媒体が近いうちに無くなることを事前に知ることができ、記録媒体を補充してリアルエンド状態に陥って印刷不能になることを回避できる。また、ニアエンド状態になった場合には、設定部の設定内容に応じて印刷動作を強制停止するか否かが制御されるので、事前にユーザーのプリンター使用形態に適するように設定部を設定しておくことができる。したがって、本発明によれば、ユーザーにとって使い勝手のよい仕様のプリンターを提供することができる。
【図面の簡単な説明】
【００２１】
【図１】本発明を適用したプリンターを示す概略ブロック図である。
【図２】図１のプリンターの動作説明図である。
【図３】図１のプリンターの各部の動作状態を示す図表である。
【発明を実施するための形態】
【００２２】
以下に、図面を参照して本発明を適用した記録媒体のニアエンド表示機能を備えたプリンターの実施の形態を説明する。
【００２３】
図１は、本実施の形態に係るロール紙プリンターの主要部分を示す概略ブロック図である。ロール紙プリンター１は、例えば、店舗などにおいてＰＯＳシステムにおけるＰＯＳ端末として用いられ、ホスト側のコンピューター２（外部装置）から印刷指令および印刷データを受信して、レシートなどの発行動作を行うものである。勿論、本発明はＰＯＳ端末用のロール紙プリンター以外のロール紙プリンターおよび所定サイズのシートなどの各種の形状の記録媒体に印刷を行うプリンターにも適用可能である。
【００２４】
ロール紙プリンター１の制御系はＣＰＵ、ＲＯＭ、ＲＡＭを中心に構成された主制御部３（印刷制御部）、データ解析部４、設定部５、受信バッファー６および印刷バッファー７を備えている。ホスト側のコンピューター２からのコマンドは、通信インターフェース８および受信部９を介して受信バッファー６に取り込まれる。受信バッファー６に取り込まれたデータはデータ解析部４によって解析され、解析結果に基づき、主制御部３はプリンター各部の駆動制御を行う。解析結果が印刷指令である場合には、後続の印刷データを印刷バッファー７上に展開し、印刷機構部１０を駆動して展開された印刷データの印刷動作を実行する。
【００２５】
印刷機構部１０は、インクジェットヘッド、サーマルヘッドなどの印刷ヘッド１１と、当該印刷ヘッド１１の印刷位置を経由してロール紙１２を搬送する紙送り機構１３と、ロール紙１２を収納するロール紙収納部１４とを備えている。ロール紙収納部１４には、ロール紙１２の残り量が予め定めた残量以下になったニアエンド状態、ロール紙１２の残量が零（紙切れ）になったリアルエンド状態を検出するための検出機構１５が付設されている。
【００２６】
検出機構１５としては各種の検出機構を用いることができる。例えば、ロール紙１２の巻芯１２ａの位置の移動を検出する光学センサーあるいはメカニカルセンサーを用いてニアエンド状態、リアルエンド状態を検出できる。あるいは、ロール紙１２の外径寸法の減少状態に基づきニアエンド状態、リアルエンド状態を検出できる。シート状の記録媒体の場合には、例えば、これを収納しているカセット内に積層されている記録媒体の厚さに基づきニアエンド、リアルエンド状態を検出できる。リアルエンド状態を検出するには、ロール紙の紙送り経路に光学センサーを備え、ロール紙の有無を検出するようにしてもよい。
【００２７】
主制御部３は、検出機構１５の出力信号に基づき、ロール紙がニアエンド状態、リアルエンド状態になったことを検知する。また、主制御部３には、プリンターのハードウエアの異常、電源異常、ロール紙収納部１４の開閉カバー（図示せず）の開閉状態、インク切れ、紙詰まり、その他の各種のプリンター異常状態（エラー）を示す検出信号が供給される。主制御部３は、これらの信号に基づき、スイッチングトランジスタ１６を介して、プリンターケースの操作面（図示せず）に配置されているエラー表示用のＬＥＤ１７（以下、「エラーＬＥＤ」と呼ぶ。）を駆動制御する発光制御部として機能する。
【００２８】
ここで、設定部５は、ロール紙１２がニアエンド状態になったときに、プリンター動作の強制停止動作を有効および無効のいずれにするのかを設定するためのものである。主制御部３は、設定部５の設定内容に基づきロール紙１２がニアエンド状態になったときにプリンター動作を強制的に停止するか否かを制御する印刷制御部として機能する。本例では、設定部５が「有効」に設定されている場合には、ロール紙１２のニアエンド状態が検出されると、主制御部３によりプリンター動作が強制的に停止される。設定部５が「無効」に設定されている場合には、ロール紙１２のニアエンド状態が検出されても、プリンター動作の強制停止は行われない。
【００２９】
一方、プリンター各部の動作状態は主制御部３の制御の下に、送信部１８および通信インターフェース８を介してホスト側のコンピューター２に送信される。送信情報には、ロール紙１２のニアエンド状態、リアルエンド状態を含む各種のエラーを表す情報が含まれている。
【００３０】
図２および図３はロール紙プリンター１の動作説明図であり、ロール紙１２のニアエンド状態およびリアルエンド状態の検出時におけるエラーＬＥＤ１７の駆動状態とプリンター動作の強制停止の有無を示してある。これらの図を参照して説明すると、印刷時には、ホスト側のコンピューター２から印刷指令および印刷データを含む印刷コマンドがロール紙プリンター１に送信される（図２の矢印Ａ１）。ロール紙プリンター１の側では印刷コマンドを受信すると、主制御部３の制御の下に、印刷機構部１０を駆動制御して受信した印刷データをロール紙１２に印刷する一連の印刷動作を行う（図２の矢印Ａ２）。
【００３１】
ロール紙プリンター１の主制御部３は、印字動作において（図２の矢印Ａ３、Ａ４）、検出機構１５からロール紙１２がニアエンド状態になったことを示す信号を受信すると（ブロックＢ１）、予め定めた第１形態でエラーＬＥＤ１７を点灯駆動する（図２のブロックＢ２）。また、主制御部３は、ニアエンド状態になったことを示すニアエンドステータス信号をホスト側のコンピューター２に送信する（図２の矢印Ａ５）。
【００３２】
ここで、ロール紙１２のニアエンド状態を表すために、例えば、主制御部３からは一定のデューティ比のＬＥＤ駆動信号Ｓ１（図１参照）がＬＥＤ駆動用のスイッチングトランジスタ１６のベースに供給される。これによって、エラーＬＥＤ１７が所定の間隔で点滅を開始する。エラーＬＥＤ１７の点滅によって、ユーザーはロール紙１２がニアエンド状態になり、ロール紙１２の無くなることを事前に知ることができる。
【００３３】
また、主制御部３は、ニアエンド状態が検出されたときには、設定部５が「有効」に設定されている場合には、印刷途中の一連の印刷ジョブの終了後に印刷動作を強制的に停止してプリンター停止状態にする。これに対して、設定部５が「無効」に設定されている場合には、プリンター停止状態に移行することなく、プリンターの印刷動作可能状態を維持する（印刷動作を継続して行う）。
【００３４】
具体的には、設定部５が「有効」に設定されている場合でニアエンド状態が検出されたときには、主制御部３は、コンピューター２から送信された一連の印刷ジョブが印刷動作中である場合、当該一連の印刷ジョブの終了を示す印刷コマンドまたは印刷データを受信し処理した後で、印刷動作を強制的に停止する。
【００３５】
ニアエンド状態になっても、ロール紙１２の残量があるので、レシートなど長さが短いものの１枚分の印刷は、最後まで印刷することができる。主制御部３は、検出機構１５の設定に基づき、ニアエンド状態になってから印刷可能なロール紙１２の長さを算出することができ、また受信した印刷コマンドや印刷データから印刷に必要となるロール紙１２の長さを算出することができ、受信した一連の印刷ジョブがニアエンド状態で印刷可能か、判断することができる。
【００３６】
また、一連の印刷ジョブの終了時点は、印刷コマンドや印刷データで検知できる。一連の印刷ジョブの中で、フォームフィード（ＦＦ）の印刷コマンドを検出により、ロール紙プリンター１が切断装置を備えていれば、切断コマンドの検出により、一連の印刷ジョブの最後であると検知できる。また、レシートの場合、合計やｔｏｔａｌという印刷ジョブの最後を示す印刷データを受信すれば、一連の印刷ジョブの最後であると判断することができる。これらの印刷コマンドや印刷データを処理した後で停止すればよい。
【００３７】
印刷可能と判断できた場合、一連の印刷ジョブの印刷が終了して停止すると、印刷途中となることがなく、再印刷をする必要がなくて済む。
【００３８】
一方、設定部５が「無効」に設定されている場合には、ロール紙１２のニアエンド状態が検出された後も印刷動作が可能であるので、ホスト側のコンピューター２から印刷コマンドを受信すると（図２の矢印Ａ６）印刷動作が行われる（図２の矢印Ａ７）。ニアエンド状態が検出された後は、エラーＬＥＤ１７の点滅が継続する。この場合、オペレーターは、エラーＬＥＤ１７の点滅を見て、ロール紙１２が終了間近だと気付き、顧客が途切れたときに、新たなロール紙１２を補充することができる。この後に、ロール紙１２のリアルエンド状態が検出されると（図２のブロックＢ３）、主制御部３は、ＬＥＤ駆動信号Ｓ１の代わりに、オン状態のＬＥＤ駆動信号Ｓ２（図１参照）を出力する。これにより、エラーＬＥＤ１７は点滅状態から連続点灯状態に切り替わる。
【００３９】
エラーＬＥＤ１７が点滅状態から連続点灯状態に切り替わることにより（図２のブロックＢ４）、ユーザーはロール紙１２が無くなったことを知ることができる。このリアルエンド状態を表すリアルエンドステータス信号はホスト側のコンピューター２に送信される（図２の矢印Ａ８）。また、主制御部３はリアルエンド状態が検出されると、印刷動作を強制的に停止してプリンター停止状態に移行する（図２のブロックＢ５）。なお、この後に、ロール紙１２が新たなロール紙に交換されると、リアルエンド状態が解除されて、プリンター動作可能状態に復帰する。
【００４０】
ここで、設定部５の設定内容は、ロール紙プリンター１の出荷時などにおいてユーザーの使用形態に応じて、「有効」および「無効」のいずれかに設定可能である。本例では、この設定部５の設定を、ホスト側のコンピューター２からの設定コマンドを用いて行うことが可能となっている。すなわち、設定コマンドを受信すると、データ解析部４での解析結果に応じて主制御部３は設定部５を設定する。したがって、必要に応じて、コンピューター２の側から設定コマンドをロール紙プリンター１に送信して設定部５の設定内容を切り替えることができるので便利である。
【００４１】
なお、エラーＬＥＤ１７は、ニアエンド状態、リアルエンド状態以外のプリンター異常状態（エラー）の表示も行う。したがって、プリンター異常状態に応じて、異なる形態でエラーＬＥＤ１７を点灯駆動して、異常内容を区別して表示できるようにすることも可能である。
【００４２】
以上説明したように、ロール紙プリンター１では、エラーＬＥＤ１７を用いて、ロール紙１２のニアエンド状態を警告表示するので、ユーザーは、ホスト側のコンピューター２を確認することなく、エラーＬＥＤ１７の点滅によってロール紙１２がニアエンドになったことを直接に知ることができるので便利である。また、ニアエンド状態の警告表示をプリンターには必ず備わっているエラーＬＥＤ１７を利用して行っているので、エラーＬＥＤのみが備わっているプリンターに本発明を適用する場合に、ＬＥＤの増設を伴うことなく既存の回路構成のままニアエンド状態を表示することができる。よって、プリンターの小型化、低コスト化に有利である。
【００４３】
また、ロール紙１２のニアエンド状態が検出されたときに、プリンターを停止させるか否かを設定部５によって設定できるようになっている。ユーザーのプリンター使用形態に適した設定内容にすることにより、ユーザーにとって使い勝手のよいプリンターを提供することができる。
【００４４】
（変更例１）
上記のロール紙プリンター１では、図３に示すように、ロール紙１２のニアエンド状態が検出されるとエラーＬＥＤ１７を点滅し、設定部５が「有効」の場合にはプリンターを停止するようにしている。この代わりに、主制御部３は、ロール紙１２のニアエンド状態が検出されたときに、設定部５が「有効」に設定されている場合にエラーＬＥＤ１７を点滅し、プリンターを停止させ、設定部５が「無効」に設定されている場合には、エラーＬＥＤ１７を駆動せずに消灯状態（非点灯）のままとし（図３の括弧書きの部分）、プリンターも停止させずに動作可能状態に維持することも可能である。一度に多量の印刷を行うことの無いユーザー等にとっては、ロール紙１２のニアエンド状態の警告表示の必要性が低い場合があり、このような場合のユーザーの希望に対応することができる。
【００４５】
（変更例２）
上記のロール紙プリンター１はエラーＬＥＤ１７のみが備わっている場合であるが、エラーＬＥＤと共にロール紙１２のリアルエンド状態を警告表示するためのＬＥＤ（以下、「ペーパーアウトＬＥＤ」と呼ぶ。）が備わっている場合にも本発明を適用可能である。
【００４６】
図１において想像線で示すように、ペーパーアウトＬＥＤ２０および、その駆動用のスイッチングトランジスタ２１が備わっている場合には、ペーパーアウトＬＥＤ２０によってロール紙１２のリアルエンド状態が警告表示される。ロール紙１２のニアエンド状態は、エラーＬＥＤ１７およびペーパーアウトＬＥＤ２０のいずれか一方を用いて警告表示することができる。
【００４７】
例えば、エラーＬＥＤ１７を用いてロール紙１２のニアエンド状態を警告表示する場合には、一般的なエラー時にエラーＬＥＤ１７が連続点灯状態になる場合と区別できるように、一定の周期で点滅を繰り返す形態で当該エラーＬＥＤ１７を点灯駆動すればよい。同様に、ペーパーアウトＬＥＤ２０を用いてロール紙１２のニアエンド状態を警告表示する場合にも、リアルエンド状態におけるペーパーアウトＬＥＤ２０の点灯状態とは異なる形態で点灯駆動して区別できるようにすることが望ましい。
【００４８】
例えば、リアルエンド状態が検出されるとＬＥＤを連続点灯する場合には、ニアエンド状態が検出されるとＬＥＤを点滅駆動して区別することができる。逆に、リアルエンド状態が検出されるとＬＥＤを点滅駆動する場合には、ニアエンド状態が検出されるとＬＥＤを連続点灯して区別すればよい。また、点滅の周期を変えることによって、双方を区別することも可能である。
【符号の説明】
【００４９】
１  ロール紙プリンター、２  コンピューター、３  主制御部、４  データ解析部、５  設定部、６  受信バッファー、７  印刷バッファー、８  通信インターフェース、９  受信部、１０  印刷機構部、１１  印刷ヘッド、１２  ロール紙、１２ａ  巻芯、１３  紙送り機構、１４  ロール紙収納部、１５  検出機構、１６  スイッチングトランジスタ、１７  エラーＬＥＤ、１８送信部、２０  ペーパーアウトＬＥＤ、２１  スイッチングトランジスタ
【図１】
2012086427.tif 000003
【図２】
2012086427.tif 000004
【図３】
2012086427.tif 000005